【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
印刷機（１ａ）における枚葉紙形態の記録媒体（２ａ〜２ｃ）のページ毎の印刷のための方法であって、
記録媒体（２ａ〜２ｃ）が、搬送方向（Ａ）で、それぞれ先行する記録媒体（２ａ〜２ｃ）と所定の用紙間隔（ｄ）をおいて、ドット毎の駆動制御が可能な少なくとも１つの印刷ユニット（４ａ〜４ｄ）に順次連続して供給される方法において、
ページ毎に構造化されたドキュメント印刷データにラスタ処理を施し、その際にライン毎及び列毎に構造化されたラスタ印刷データを生成し、
ページのドキュメント印刷データに対して、ラインのそれぞれ１つの所定の基準数（ＮＡ）を設定し、
前記ラスタ印刷データを、電子的メモリ（１５ａ）の印刷データメモリ領域（２５）にライン毎に順次記憶し、
前記電子的メモリ（１５ａ）内で、印刷データを書き込むべきでない空白ラインのための空白ラインメモリ領域（３２）を設け、
前記ラスタ印刷データを、前記電子的メモリ（１５ａ）の印刷データメモリ領域（２５）からライン毎に順次読み出して、前記印刷ユニット（４ａ〜４ｄ）にライン毎に供給し、
前記印刷データメモリ領域（２５）からラインの前記基準数（ＮＡ）をそれぞれ読み出した後で、空白ラインメモリ領域（３２）が所定の回数（ＬＺ）だけ読み出され、ただし前記回数（ＬＺ）は０以上の整数であり、かつ前記用紙間隔（ｄ）に依存していることを特徴とする方法。
【請求項２】
前記印刷データメモリ領域（２５）を、メモリ始端アドレスとメモリ終端アドレスを備えたリングバッファとして次のように使用する、すなわち、複数のデータが記憶されたときと同じ順序で読み出され、かつメモリ終端アドレスに到達したときのデータの読み出しの際にも記憶の際にも、その都度の書き込みアクセスまたは読み出しアクセスが、メモリ始端アドレスにて継続されるように使用し、前記リングバッファ（２６）の書き込みアクセスと読み出しアクセスに依存することなく前記空白ラインメモリ領域（３２）に対するアクセスがなされる、請求項１記載の方法。
【請求項３】
前記電子的メモリ（１５ａ）の書き込み及び読み出しがアドレス制御部（２７，２８）を用いて制御され、前記アドレス制御部（２７，２８）は、前記リングバッファ（２６）及び前記空白ラインメモリ領域（３２）に対するそのつどのアクセスを次のように調整している、すなわち、印刷するための記録媒体（２ａ〜２ｃ）が前記印刷ユニット（４ａ〜４ｄ）のもとに存在していないフェーズの間、一方では、不変のラインスキーマにて複数のラスタ印刷データが前記リングバッファ（２６）に記憶されてそこから読み出し可能にされ、他方では、前記空白ラインメモリ領域（３２）の空白ラインデータが前記印刷ユニット（４ａ〜４ｄ）に出力されるように調整している、請求項２記載の方法。
【請求項４】
前記アドレス制御部（２７，２８）は、ラインアドレスユニット（２７）とラインポインタメモリ（２６）を使用し、その際に、前記ラインポインタメモリ（２６）内には、印刷ラインのデータの開始を表す、前記印刷データメモリ（２５）の各メモリアドレスが記憶されており、前記ラインアドレスユニット（２７）は、カウンタ（２８）を含み、該カウンタ（２８）内には、前記印刷ユニット（４ａ〜４ｄ）の最初のノズル列に対するデータの開始を表す、前記ラインポインタメモリ（２６）の初期メモリアドレス（Ｋ）が記憶されている、請求項３記載の方法。
【請求項５】
印刷のために、複数のデータが、前記初期メモリアドレス（Ｋ）から所定のオフセット値を差し引いて求められたアドレスにて前記印刷データメモリ（２５）からそれぞれ読み出される、請求項４記載の方法。
【請求項６】
前記回数（ＬＺ）の算出のために、２つの順次連続する枚葉紙形態の記録媒体（２ａ〜２ｃ）の間の用紙間隔（ｄ）が、それらの搬送中に測定される、及び／又は、設定可能なパラメータが設けられる、請求項１から５いずれか１項記載の方法。
【請求項７】
印刷機（１ａ）における枚葉紙形態の記録媒体（２ａ〜２ｃ）のページ毎の印刷のための印刷ユニット用制御装置であって、
記録媒体（２ａ〜２ｃ）が、搬送方向（Ａ）で、それぞれ先行する記録媒体（２ａ〜２ｃ）と所定の用紙間隔（ｄ）をおいて、ドット毎の駆動制御が可能な少なくとも１つの印刷ユニット（４ａ〜４ｄ）に順次連続して供給される、印刷ユニット用制御装置において、
ページ毎に構造化されたドキュメント印刷データにラスタ処理を施し、その際にライン毎及び列毎に構造化されたラスタ印刷データを生成し、
ページのドキュメント印刷データに対して、ラインのそれぞれ１つの所定の基準数（ＮＡ）を設定し、
前記ラスタ印刷データを、電子的メモリ（１５ａ）の印刷データメモリ領域（２５）にライン毎に順次記憶し、
前記電子的メモリ（１５ａ）内で、印刷データを書き込むべきでない空白ラインのための空白ラインメモリ領域（３２）を設け、
前記ラスタ印刷データを、前記電子的メモリ（１５ａ）の印刷データメモリ領域（２５）からライン毎に順次読み出して、前記印刷ユニット（４ａ〜４ｄ）にライン毎に供給し、
前記印刷データメモリ領域（２５）からラインの前記基準数（ＮＡ）をそれぞれ読み出した後で、前記空白ラインメモリ領域（３２）が所定の回数（ＬＺ）だけ読み出され、ただし前記回数（ＬＺ）は０以上の整数であり、かつ前記用紙間隔（ｄ）に依存していることを特徴とする、印刷ユニット用制御装置。
【請求項８】
前記印刷データメモリ領域（２５）を、メモリ始端アドレスとメモリ終端アドレスを備えたリングバッファとして次のように使用する、すなわち、複数のデータが記憶されたときと同じ順序で読み出され、かつメモリ終端アドレスに到達したときのデータの読み出しの際にも記憶の際にも、その都度の書き込みアクセスまたは読み出しアクセスが、メモリ始端アドレスにて継続されるように使用し、前記リングバッファ（２６）の書き込みアクセスと読み出しアクセスに依存することなく空白ラインメモリ領域（３２）に対するアクセスがなされる、請求項７記載の印刷ユニット用制御装置。
【請求項９】
前記電子的メモリ（１５ａ）の書き込み及び読み出しがアドレス制御部（２７，２８）を用いて制御され、前記アドレス制御部（２７，２８）は、前記リングバッファ（２６）及び前記空白ラインメモリ領域（３２）に対するそのつどのアクセスを次のように調整している、すなわち、印刷するための記録媒体（２ａ〜２ｃ）が前記印刷ユニット（４ａ〜４ｄ）のもとに存在していないフェーズの間、一方では、不変のラインスキーマにて複数のラスタ印刷データが前記リングバッファ（２６）に記憶されてそこから読み出し可能にされ、他方では、前記空白ラインメモリ領域（３２）の空白ラインデータが前記印刷ユニット（４ａ〜４ｄ）に出力されるように調整している、請求項８記載の印刷ユニット用制御装置。
【請求項１０】
前記アドレス制御部（２７，２８）は、ラインアドレスユニット（２７）とラインポインタメモリ（２６）を使用し、その際に、前記ラインポインタメモリ（２６）内には、印刷ラインのデータの開始を表す、前記印刷データメモリ（２５）の各メモリアドレスが記憶されており、前記ラインアドレスユニット（２７）は、カウンタ（２８）を含み、該カウンタ（２８）内には、前記印刷ユニット（４ａ〜４ｄ）の最初のノズル列に対するデータの開始を表す、前記ラインポインタメモリ（２６）の初期メモリアドレス（Ｋ）が記憶されている、請求項９記載の印刷ユニット用制御装置。
【請求項１１】
印刷のために、複数のデータが、前記初期メモリアドレス（Ｋ）から所定のオフセット値を差し引いて求められたアドレスにて前記印刷データメモリ（２５）からそれぞれ読み出される、請求項１０記載の印刷ユニット用制御装置。
【請求項１２】
前記回数（ＬＺ）の算出のために、２つの順次連続する枚葉紙形態の記録媒体（２ａ〜２ｃ）の間の用紙間隔（ｄ）が、それらの搬送中に測定される、及び／又は、設定可能なパラメータが設けられる、請求項７から１１いずれか１項記載の印刷ユニット用制御装置。
【請求項１３】
請求項７から１２いずれか１項記載の印刷ユニット用制御装置（１５）を含んでいることを特徴とする印刷機。
【請求項１４】
コンピュータを備えた印刷機（１ａ）における枚葉紙形態の記録媒体（２ａ〜２ｃ）のページ毎の印刷のためのコンピュータプログラムであって、
記録媒体（２ａ〜２ｃ）が、搬送方向（Ａ）で、それぞれ先行する記録媒体（２ａ〜２ｃ）と所定の用紙間隔（ｄ）をおいて、ドット毎の駆動制御が可能な少なくとも１つの印刷ユニット（４ａ〜４ｄ）に順次連続して供給される、コンピュータプログラムにおいて、
前記コンピュータプログラムは下記ステップを前記コンピュータに実行させる、
ページ毎に構造化されたドキュメント印刷データにラスタ処理を施し、その際にライン毎及び列毎に構造化されたラスタ印刷データを生成するステップと、
ページのドキュメント印刷データに対して、ラインのそれぞれ１つの所定の基準数（ＮＡ）を設定するステップと、
前記ラスタ印刷データを、電子的メモリ（１５ａ）の印刷データメモリ領域（２５）にライン毎に順次記憶するステップと、
前記電子的メモリ（１５ａ）内で、印刷データを書き込むべきでない空白ラインのための空白ラインメモリ領域（３２）を設けるステップと、
前記ラスタ印刷データを、前記電子的メモリ（１５ａ）の印刷データメモリ領域（２５）からライン毎に順次読み出して、前記印刷ユニット（４ａ〜４ｄ）にライン毎に供給するステップと、
前記印刷データメモリ領域（２５）からラインの前記基準数（ＮＡ）をそれぞれ読み出した後で、空白ラインメモリ領域（３２）を所定の回数（ＬＺ）だけ読み出すステップとを実行させる、
ただし前記回数（ＬＺ）は０以上の整数であり、かつ前記用紙間隔（ｄ）に依存している、ことを特徴とするコンピュータプログラム。
【請求項１５】
前記印刷データメモリ領域（２５）を、メモリ始端アドレスとメモリ終端アドレスを備えたリングバッファとして次のように使用するステップ、すなわち、複数のデータが記憶されたときと同じ順序で読み出され、かつメモリ終端アドレスに到達したときのデータの読み出しの際にも記憶の際にも、その都度の書き込みアクセスまたは読み出しアクセスが、メモリ始端アドレスにて継続されるように使用するステップと、前記リングバッファ（２６）の書き込みアクセスと読み出しアクセスに依存することなく空白ラインメモリ領域（３２）に対するアクセスがなされるステップとを更に実行させる、請求項１４記載のコンピュータプログラム。
【請求項１６】
前記コンピュータプログラムは、
前記電子的メモリ（１５ａ）の書き込み及び読み出しを、アドレス制御部（２７，２８）に下記のように制御させるステップを更に実行させる、
前記アドレス制御部（２７，２８）は、前記リングバッファ（２６）及び空白ラインメモリ領域（３２）に対するそのつどのアクセスを次のように調整している、すなわち、印刷するための記録媒体（２ａ〜２ｃ）が前記印刷ユニット（４ａ〜４ｄ）のもとに存在していないフェーズの間、一方では、不変のラインスキーマにて複数のラスタ印刷データが前記リングバッファ（２６）に記憶されてそこから読み出し可能にされ、他方では、空白ラインメモリ領域（３２）の空白ラインデータが前記印刷ユニット（４ａ〜４ｄ）に出力されるように調整している、請求項１５記載のコンピュータプログラム。
【請求項１７】
前記コンピュータプログラムは、
前記アドレス制御部（２７，２８）に、ラインアドレスユニット（２７）とラインポインタメモリ（２６）を使用させるステップを更に実行させ、
その際に、前記ラインポインタメモリ（２６）内には、印刷ラインのデータの開始を表す、前記印刷データメモリ（２５）の各メモリアドレスが記憶されており、前記ラインアドレスユニット（２７）は、カウンタ（２８）を含み、該カウンタ（２８）内には、前記印刷ユニット（４ａ〜４ｄ）の最初のノズル列に対するデータの開始を表す、前記ラインポインタメモリ（２６）の初期メモリアドレス（Ｋ）が記憶されている、請求項１６記載のコンピュータプログラム。
【請求項１８】
前記コンピュータプログラムは、
印刷のために、複数のデータを、前記初期メモリアドレス（Ｋ）から所定のオフセット値を差し引いて求められたアドレスにて前記印刷データメモリ（２５）からそれぞれ読み出すステップを更に実行させる、請求項１７記載のコンピュータプログラム。
【請求項１９】
前記コンピュータプログラムは、
前記回数（ＬＺ）の算出のために、２つの順次連続する枚葉紙形態の記録媒体（２ａ〜２ｃ）の間の用紙間隔（ｄ）を、それらの搬送中に測定するステップ、及び／又は、設定可能なパラメータを設けるステップを更に実行させる、請求項１４から１８いずれか１項記載のコンピュータプログラム。